(57)【要約】【課題】カットテープを設けずに簡単に開封でき、安価なファスナー付き包装袋を提供する。【解決手段】内面が合成樹脂フィルムにて作られた包装袋において、包装袋１の上端よりやや下側位置において雌型のファスナーテープ４を包装袋１を構成する一方のシート部２内面にヒートシールにて完全接合させ、雄型のファスナーテープ５には上向きの延設部５ａを一体に備え、この延設部５ａのホットメルト型接着樹脂部分を前記一方のシート部２内面に易剥離可能に接合させてなる。【選択図】    図３
2005067712.tif 000002
【特許請求の範囲】
【請求項１】
内面が合成樹脂フィルムにて作られた包装袋において、包装袋の上端よりやや下側位置において雌型もしくは雄型の一方のファスナーテープを包装袋を構成する一方のシート部内面にヒートシールにて完全接合させ、雄型もしくは雌型の他方のファスナーテープには上向きの延設部を一体に備え、この延設部のホットメルト型接着樹脂部分を前記一方のシート部内面に易剥離可能に接合させてなることを特徴とするファスナー付き包装袋。
【請求項２】
他方のファスナーテープの延設部を包装袋を構成する他方のシート部内面にヒートシールにて完全接合させるとともに、包装袋の上端をヒートシールにて完全接合させてなることを特徴とする請求項１記載のファスナー付き包装袋。
【請求項３】
内面が合成樹脂フィルムにて作られた包装袋において、包装袋の下端よりやや上側位置において雌型もしくは雄型の一方のファスナーテープを包装袋を構成する一方のシート部内面にヒートシールにて完全接合させ、雄型もしくは雌型の他方のファスナーテープには下向きの延設部を一体に備え、この延設部のホットメルト型接着樹脂部分を前記一方のシート部内面に易剥離可能に接合させてなることを特徴とするファスナー付き包装袋。
【請求項４】
他方のファスナーテープの延設部を包装袋を構成する他方のシート部内面にヒートシールにて完全接合させるとともに、包装袋の下端をヒートシールにて完全接合させてなることを特徴とする請求項３記載のファスナー付き包装袋。
【発明の詳細な説明】
【技術分野】
【０００１】
本発明は、ファスナー付き包装袋に関するものである。
【背景技術】
【０００２】
従来のこの種ファスナー付きの包装袋としては例えば特許文献１などで知られているものがある。即ち、ガゼットタイプの袋体として構成され、この袋体を開閉自在とするファスナーが取り付けられたファスナーバッグであって、その底面部が幅広に形成されると共に、前記ファスナーは、突条の形成された雄型部材と、前記突条を自在に係脱させる溝部の形成された雌型部材とから構成され、これら両部材は、前記突条と前記溝部とが対向するように、各々の基部が対向する一方の平面部の内面に取り付けられ、この一方の平面部に、基部と基部とが取り付けられた部分の間に、この平面部を雄型部材側と雌型部材側とに分離切断するカットテープを設けたものが知られている。
【特許文献１】特開２００３−９５２８６公報
【発明の開示】
【発明が解決しようとする課題】
【０００３】
上記特許文献１に開示されているファスナーバッグの構成では、内容物を取り出すのにカットテープを指で引っ張ってファスナーバッグを開封していた。
しかしながら、このファスナーバッグは開封のために一方の平面部の内面にカットテープを設けなければならず、その分コストアップにつながるという問題があった。
【０００４】
本発明の目的は、これらの課題を達成するものであり、カットテープを設けずに簡単に開封でき、安価なファスナー付き包装袋を提供することにある。
【課題を解決するための手段】
【０００５】
本発明の請求項１に記載のファスナー付き包装袋は、内面が合成樹脂フィルムにて作られた包装袋において、包装袋の上端よりやや下側位置において雌型もしくは雄型の一方のファスナーテープを包装袋を構成する一方のシート部内面にヒートシールにて完全接合させ、雄型もしくは雌型の他方のファスナーテープには上向きの延設部を一体に備え、この延設部のホットメルト型接着樹脂部分を前記一方のシート部内面に易剥離可能に接合させてなることを特徴とする。
【０００６】
請求項２に記載のファスナー付き包装袋は、請求項１に記載のファスナー付き包装袋において、他方のファスナーテープの延設部を包装袋を構成する他方のシート部内面にヒートシールにて完全接合させるとともに、包装袋の上端をヒートシールにて完全接合させてなることを特徴とする。
【０００７】
請求項３に記載のファスナー付き包装袋は、内面が合成樹脂フィルムにて作られた包装袋において、包装袋の下端よりやや上側位置において雌型もしくは雄型の一方のファスナーテープを包装袋を構成する一方のシート部内面にヒートシールにて完全接合させ、雄型もしくは雌型の他方のファスナーテープには下向きの延設部を一体に備え、この延設部のホットメルト型接着樹脂部分を前記一方のシート部内面に易剥離可能に接合させてなることを特徴とする。
【０００８】
請求項４に記載のファスナー付き包装袋は、請求項３に記載のファスナー付き包装袋において、他方のファスナーテープの延設部を包装袋を構成する他方のシート部内面にヒートシールにて完全接合させるとともに、包装袋の下端をヒートシールにて完全接合させてなることを特徴とする。
【発明の効果】
【０００９】
以上のように本発明は、前記従来例で示したファスナーバッグのようなカットテープを設ける必要がなく、簡単に開封でき、安価なファスナー付き包装袋を提供することができる。
【発明を実施するための最良の形態】
【００１０】
以下、本発明の実施の形態を、図面に基づき具体的に説明する。
先ず、図１〜図７に示す第１の実施の形態について説明すると、１はスタンディングパウチタイプに形成された包装袋であって、この包装袋１の上端の開口部よりやや下側位置において表側および裏側（または裏側および表側）の各シート部２，３の内面に雌型のファスナーテープ４と雄型のファスナーテープ５をヒートシールにて接合させることにより一体的に設けるように構成されている。
【００１１】
前記包装袋１を構成する前記シート部２，３および下端のシート部６は外層２ａ，３ａ，６ａがナイロンフィルム、内層２ｂ，３ｂ，６ｂがポリエチレンフィルムからなる２層構造であり、前記シート部２の内面に接合される雌型のファスナーテープ４は一方のシート部２の内層２ｂと同じポリエチレン樹脂を材料として作られている。また、他方のシート部３の内面に接合される雄型のファスナーテープ５はホットメルト型接着樹脂（イージーピール樹脂）を材料として作られている。この雄型のファスナーテープ５は全長に亘って上向きの延設部５ａを一体に備え、またこの雄型のファスナーテープ５の裏面にはポリエチレン樹脂層７が形成されている。
【００１２】
包装袋１の上端の開口部よりやや下側位置において各シート部２，３の内面に雌型のファスナーテープ４と雄型のファスナーテープ５をヒートシールにて接合させる工程について説明すると、雌型のファスナーテープ４と雄型のファスナーテープ５を互いに噛合させた状態で各シート部２，３の内側定位置にセットし、かかる状態で雄型のファスナーテープ５の裏面のポリエチレン樹脂層７と他方のシート部３の内層３ｂとの間に断熱板８を介在させ、雌型のファスナーテープ４の外側位置で一方のシート部２の外層２ａにヒートシールバー９を当てがい、このヒートシールバー９と断熱板８との間で一方のシート部２と雌型のファスナーテープ４と雄型のファスナーテープ５とを挟み付けてヒートシールを行なうことにより、一方のシート部２の内層２ｂに雌型のファスナーテープ４が溶着される。また、これと同時に前記両ファスナーテープ４，５の噛合部から外れた位置でヒートシールバー１０と断熱板８との間で一方のシート部２と雄型のファスナーテープ５の延設部５ａとを挟み付けてヒートシールを行なうことにより、一方のシート部２の内層２ｂにホットメルト型接着樹脂からなる雄型のファスナーテープ５が５Ｎ／１５ｍｍ程度のヒートシール強度で界面剥離可能に接合する。１１はその接合部である。即ち、一方のシート部２の内層２ｂと雄型のファスナーテープ５の接合部１１は指で簡単に剥離できる程度に接合される（図３参照）。かかる状態で前記断熱板８が取り除かれることにより、図４に示すように雄型のファスナーテープ５の裏面のポリエチレン樹脂層７とシート部３の内層３ｂとの間に隙間ができる。つまり、包装袋１は上端および雄型のファスナーテープ５の裏面のポリエチレン樹脂層７と他方のシート部３の内層３ｂとの間を除く他の部分がヒートシールにて接合された状態となり、かかる状態で雄型のファスナーテープ５の裏面のポリエチレン樹脂層７と他方のシート部３の内層３ｂとの間の隙間より包装袋１の内部に内容物１２が充填される。内容物１２の充填後において、雄型のファスナーテープ５の裏面のポリエチレン樹脂層７と他方のシート部３の内層３ｂとの間が前記接合部１１の裏面側でヒートシールにより完全接合されるとともに、包装袋１の上端の開口部もヒートシールにより完全接合される（図５参照）。１３はポリエチレン樹脂層７とシート部３の内層３ｂとの接合部、１４は包装袋１の上端の開口部を閉じる接合部である。
【００１３】
以上のようにして内容物１２が充填された包装袋１の上端の開口部がヒートシールにより閉じられて封緘状態となるのであるが、包装袋１から内容物１２を取り出すときは、前記包装袋１の上端の接合部１４よりやや下側で一側部のノッチ部１５より包装袋１をカットして開き（図６参照）、かかる状態で前記５Ｎ／１５ｍｍ程度のヒートシール強度の接合部１１を剥離させる（図７参照）。これにより前記両ファスナーテープ４，５の噛合部を開いて内容物１２を取り出すことができる。
【００１４】
次に、図８に示す第２の実施の形態について説明すると、前記雄型のファスナーテープ５を延設部５ａを含んでホットメルト型接着樹脂で形成しているが、この第２の実施の形態では雄型のファスナーテープ５を延設部５ａを含んでポリエチレン樹脂を材料として作られており、この雄型のファスナーテープ５を延設部５ａの表面（一方のシート部２の内層２ｂに対向する面）にホットメルト型接着樹脂層１６が形成されており、このホットメルト型接着樹脂層１６を一方のシート部２の内層２ｂに５Ｎ／１５ｍｍ程度のヒートシール強度で界面剥離可能に接合している。他の構成は第１の実施の形態と同様である。
【００１５】
ところで、前記ホットメルト型接着樹脂としては種々のものが知られているが、本実施の形態では、界面剥離可能に適した樹脂として、例えばヒロダイン（株）製のエチレン・酢酸ビニル共重合体を主成分とするエチレン・エチルアクリレート共重合体と石油樹脂、テレピン樹脂およびロジン系樹脂からなる群から選ばれた少なくとも一種の樹脂からなる樹脂組成物で形成されたものが用いられる。
【００１６】
また、上記実施の形態では前記雄型のファスナーテープ５の延設部５ａを一方のシート部２の内層２ｂに対し手で剥離できる程度のヒートシール強度で界面剥離可能に接合させているが、層間剥離可能、あるいは凝集剥離可能に接合させてあっても良い。例えば、この凝集剥離用に使用されるホットメルト型接着樹脂として、三菱化学（株）製のＶＭＸ（登録商標）で知られるポリオレフィンを主成分とし、ラジカル重合性モノマーでグラフト変性されたポリオレフィン樹脂に非晶性ビニルポリマーを均質に含有する多成分系ポリマーと、分散相をポリオレフィンにスチレンを分散したものをポリマーアロイした樹脂が適している。
【００１７】
また、上記実施の形態では前記一方のシート部２の内面に雌型のファスナーテープ４を接合させ、前記他方のシート部３の内面に雄型のファスナーテープ５を接合させているが、一方のシート部２の内面に雄型のファスナーテープを接合させ、他方のシート部３の内面に雌型のファスナーテープを接合させるようにしても良い。
【００１８】
また、上記実施の形態では包装袋１は前記シート部２，３および下端のシート部６は外層２ａ，３ａ，６ａがナイロンフィルム、内層２ｂ，３ｂ，６ｂがポリエチレンフィルムからなる２層構造に作られた合成樹脂製のものであるが、その材料は特に限定されるものではない。つまり、包装袋１の材料は少なくとも内層２ｂ，３ｂ，６ｂがヒートシールの必要性からポリエチレンフィルムやポリプロピレンフィルムなどの合成樹脂フィルムで作られたものであれば、その内層２ｂ，３ｂ，６ｂに積層される材料は合成樹脂以外のものでも良い。また、上記の２つの実施の形態において、包装袋１の内層２ｂ，３ｂがポリエチレンフィルムからなるので、第１の実施の形態における樹脂層７はポリエチレン、第２の実施の形態における雄型のファスナーテープ５もポリエチレン樹脂を材料として作られているが、包装袋１の内層２ｂ，３ｂがポリプロピレンフィルムであれば、それに合わせて第１の実施の形態における樹脂層７はポリプロピレン、第２の実施の形態における雄型のファスナーテープ５はポリプロピレン樹脂を材料として作れば良い。
【００１９】
また、上記実施の形態では雄型のファスナーテープ５と他方のシート部３の内層３ｂとの間に断熱板８を介在させ、ヒートシールバー９と断熱板８との間で一方のシート部２の内層２ｂと雌型のファスナーテープ４をヒートシールすると同時に、ヒートシールバー１０と断熱板８との間で一方のシート部２の内層２ｂに雄型のファスナーテープ５を界面剥離可能に接合しているが、雌型のファスナーテープ４と雄型のファスナーテープ５の噛合部を挟む位置で雌型のファスナーテープ４と雄型のファスナーテープ５との間に断熱板を介在させ一方のシート部２の内層２ｂと雌型のファスナーテープ４をヒートシールし、その後断熱板が取り除かれた後、ヒートシールバー１０と断熱板８との間で一方のシート部２の内層２ｂに雄型のファスナーテープ５（第１の実施の形態では雄型のファスナーテープ５の延設部５ａと内層２ｂ、第１の実施の形態ではホットメルト型接着樹脂層１６と内層２ｂ）を界面剥離可能に接合するようにしても良い。
【００２０】
また、包装袋１の形としては上記した実施の形態以外に、ガゼットタイプ、合掌タイプ、四方シールタイプなどであっても良い。
さらに、上記実施の形態では包装袋１はスタンディングパウチタイプであり、その上端側にファスナーを設けたが、包装袋の形によっては下端側にファスナーを設けるようにしても良い。
【図面の簡単な説明】
【００２１】
【図１】本発明の第１の実施の形態のファスナー付き包装袋の上方からの斜視図である。
【図２】同ファスナー付き包装袋の下方からの斜視図である。
【図３】同雄型のファスナーテープの延設部を一方のシート部の内層に界面剥離可能に接合した状態を示す断面図である。
【図４】同雄型のファスナーテープの延設部を一方のシート部の内層に界面剥離可能に接合した後、断熱板を引き抜いた状態を示す断面図である。
【図５】同包装袋の封緘状態を示す断面図である。
【図６】同包装袋の上端をカットして開いた状態を示す断面図である。
【図７】同雄型のファスナーテープの延設部を一方のシート部の内層から剥離させた状態を示す断面図である。
【図８】本発明の第２の実施の形態のファスナー付き包装袋の雄型のファスナーテープの延設部を一方のシート部の内層に界面剥離可能に接合した状態を示す断面図である。
【符号の説明】
【００２２】
１            包装袋
２，３        シート部
２ａ，３ａ    外層
２ｂ，３ｂ    内層
４            雌型のファスナーテープ
５            雄型のファスナーテープ
５ａ          延設部
６            下端のシート部
６ａ          外層
６ｂ          内層
７            ポリエチレン樹脂層
８            断熱板
９，１０      ヒートシールバー
１１            接合部
１２            内容物
１３，１４      接合部
１５            ノッチ部
１６            ホットメルト型接着樹脂層
【図１】
2005067712.tif 000003
【図２】
2005067712.tif 000004
【図３】
2005067712.tif 000005
【図４】
2005067712.tif 000006
【図５】
2005067712.tif 000007
【図６】
2005067712.tif 000008
【図７】
2005067712.tif 000009
【図８】
2005067712.tif 000010